(57)【要約】【課題】簡単な構成で作業性を損うことなく確実に貨幣を収容できる遊技媒体貸出装置を提供する。【解決手段】貨幣投入孔４１７Ｂから投入する貨幣を収容する貨幣判別取得装置４３０を配設し前方に向けて開放するケース体４１０の貨幣収容室４１３の前面を、開閉蓋体４１７にて開閉可能に閉塞する。開閉蓋体４１７の回動端に先端部が連結する紐状の連結部４４２を巻き取り収容する開放規制部４４０をケース体４１０内に配設する。所定の信号を開放規制部４４０が認識すると、貨幣収容室４１３を開放する方向への開閉蓋体４１７の回動に伴って連結部４４２を巻き戻す。不当に解錠されても、連結部４４２の巻き戻しを禁止した状態で不正な貨幣の持ち出しを簡単な構成で防止でき、所定の信号を出力する管理者側のみが回収できる。【選択図】図２
2008000245.tif 000002
【特許請求の範囲】
【請求項１】
貨幣の投入により遊技媒体を貸し出す遊技媒体貸出装置であって、
前面が開閉蓋体にて開閉可能に閉塞され前方に向けて開放し、前記貨幣が投入される投入孔に連通する貨幣収容室、および、遊技媒体収容室を有した筐体と、
この筐体の前記遊技媒体収容室内に配設され、前記遊技媒体を貯留するとともに前記遊技媒体を所定量で前記筐体外へ排出する遊技媒体貸出部と、
前記筐体の貨幣収容室内に配設され、前記投入孔から投入された前記貨幣を収容する貨幣収容部と、
前記筐体内に配設され、前記開閉蓋体に一端部が係止された連結部を備え、所定の信号の認識により前記貨幣収容室を開放する方向への前記開閉蓋体の移動に伴って前記連結部を進出可能に収容する開放規制部と、
を具備したことを特徴とした遊技媒体貸出装置。
【請求項２】
請求項１に記載の遊技媒体貸出装置であって、
前記開放規制部は、可撓性を有する紐状の連結部と、この連結部を巻き取って収容する巻取部と、前記所定の信号の認識により前記巻取部による巻き取りに抗して前記開閉蓋体の移動に伴って前記連結部を引き出し可能に制御する制御部と、を備えた
ことを特徴とした遊技媒体貸出装置。
【請求項３】
請求項１または請求項２に記載の遊技媒体貸出装置であって、
前記開放規制部は、外面に臨んで移動可能に配設された操作子と、この操作子の移動により前記巻取部による巻き取りに抗して前記開閉蓋体の移動に伴って前記連結部を引き出し可能とする規制解除部と、を備えた
ことを特徴とした遊技媒体貸出装置。
【請求項４】
請求項３に記載の遊技媒体貸出装置であって、
前記開放規制部は、前記操作子が前記遊技媒体収容室に臨んで前記貨幣収容室内に配設された
ことを特徴とした遊技媒体貸出装置。
【請求項５】
請求項４に記載の遊技媒体貸出装置であって、
前記筐体は、前記遊技媒体収容室および前記貨幣収容室を区画する壁状で、前記遊技媒体収容室および前記貨幣収容室を連通する連通孔を有した区画壁を備え、
前記開放規制部は、前記操作子が前記連通孔に対向する位置に配設され、
前記遊技媒体貸出部は、前記連通孔に対向して前記筐体に着脱可能に前記遊技媒体収容室内に配設された
ことを特徴とした遊技媒体貸出装置。
【請求項６】
請求項２ないし請求項５のいずれかに記載の遊技媒体貸出装置であって、
前記開閉蓋体は、回動により前記貨幣収容室の前面を開閉可能に前記筐体に軸支され、
前記開放規制部は、前記開閉蓋体の回動する端部近傍に前記連結部の端部が係止され、かつ前記開閉蓋体が前記貨幣収容室の前面を閉塞する状態で前記連結部の端部が係止する位置から略水平方向に沿って前記連結部の巻き取り張力が作用する状態に配設された
ことを特徴とした遊技媒体貸出装置。
【請求項７】
請求項１ないし請求項６のいずれかに記載の遊技媒体貸出装置と、
前記遊技媒体を用いて遊技されその遊技の内容が前面側に視認可能な遊技装置と、
前記遊技媒体貸出装置および前記遊技装置が対をなして略並列に複数設置される島構造体と、
を具備したことを特徴とした遊技システム。
【請求項８】
請求項７に記載の遊技システムであって、
入力操作により所定の操作信号を出力する操作手段を備え、前記操作手段から出力された所定の操作信号を認識すると、前記各遊技媒体貸出装置の開放規制部のうち前記操作信号に基づく所定の開放規制部に対して前記開閉蓋体による前記貨幣収容室の開放を許諾する旨の前記所定の信号を送信する集合制御手段を具備した
ことを特徴とした遊技システム。
【発明の詳細な説明】
【技術分野】
【０００１】
本発明は、遊技装置で利用される遊技媒体を貸し出す遊技媒体貸出装置および遊技システムに関する。
【背景技術】
【０００２】
従来、例えば一般的に「パチスロ」と称される回胴式遊技機や、いわゆるスロットマシンなどの遊技装置など、娯楽設備として広く知られている。
そして、従来の遊技装置は、例えば遊技装置に隣接して設けられた遊技媒体であるコインを貸し出す貸出装置からコインを借り受け、このコインをコイン投入孔より投入すると遊技可能状態となる。この遊技可能状態で所定のボタンスイッチやジョイスティックなどが操作されると、外周面に各種絵柄が設けられたリールが回転する。そして、所定のボタンスイッチを操作することで、回転するリールを停止させ、絵柄の並び状態で適宜コインが払い出される構成となっている。
この遊技装置において、遊技に利用されたコインなどの遊技媒体を貸出装置へ適宜搬送する構成を設けた構成が知られている（例えば、特許文献１および特許文献２）。
【０００３】
特許文献１に記載のものは、２台の遊技装置間に貸出装置を配置させ、遊技装置からオーバーフローする遊技媒体を適宜回収して遊技装置や貸出装置に返送する貯留補給部を備えた構成が採られている。
この遊技媒体を２台の遊技装置と貸出装置で循環させる循環システムの構成において、遊技装置には、遊技のために投入される遊技媒体を回収するとともに遊技の実行結果に基づいて遊技媒体を適宜排出させる貯留ホッパが設けられている。この貯留ホッパには、貯留する遊技媒体の残量を検出する検出器が設けられている。
また、貸出装置には、遊技媒体を貯留し貨幣の投入により遊技媒体を排出する払出装置を備えているとともに、遊技者が投入口から投入した遊技媒体を計数する計数機が設けられている。なお、払出装置には、貯留する遊技媒体の残量を検出する検出器が設けられている。
また、貯留補給部は、遊技装置の貯留ホッパからオーバーフローする遊技媒体や、貸出装置の計数機にて計数した遊技媒体を貯留する貯留タンクを備えている。さらに、貯留補給部は、貯留タンクに貯留する遊技媒体を遊技装置の貯留ホッパや貸出装置の払出装置へ適宜返送する補給路を備えている。
そして、循環システムは、検出器にて検出する残量に基づいて、貯留補給部の貯留タンクに貯留する遊技媒体を、補給路を介して適宜遊技装置の貯留ホッパや貸出装置の払出装置へ返送し、２台の遊技装置および貸出装置で遊技媒体を循環させて、遊技媒体を別途回収あるいは補給する煩雑な作業を防止している。
【０００４】
しかしながら、この特許文献１に記載のものは、遊技の結果に基づいて払い出された遊技媒体を２台の遊技装置間に設けた遊技媒体貸出機で計数して回収させ、遊技媒体貸出機と２台の遊技装置との間で遊技媒体を循環させているので、例えば不正により遊技装置から遊技媒体を払い出させた場合、払い出された遊技媒体は循環されるため、計数されたデータを監視しなければ不正行為を検出できない。そして、このデータの監視は、電子制御による演算処理などの監視システムを設ける必要があり、多大な設備コストの負荷が生じる問題がある。
【０００５】
一方、特許文献２に記載のものは、遊技装置と遊技媒体貸出機とを一体に設けた単独島の構成が採られている。
この単独島は、遊技のために遊技装置に投入された遊技媒体を貯留する補給機が設けられている。この補給機には、貯留する遊技媒体を供給機に搬送するリフタが設けられている。供給機には、遊技装置および遊技媒体貸出機にそれぞれ貯留する遊技媒体の量を検出して所定定量よりも少なくなったことを認識すると、遊技装置や遊技媒体貸出機に対して貯留する遊技媒体を切り替えて供給する切替機構を設けている。
【０００６】
しかしながら、この特許文献２に記載のものは、比較的に内部スペースの確保が容易な単独島の構成であり、例えば回胴式遊技装置で一般的に利用される構成である島構造にも適用することは考えられるが、複数の遊技装置に電源を供給するための構成などが複雑に配設される島構造にそのまま適用するのは困難である。
【０００７】
【特許文献１】特開平６−３９１３８号公報（第３頁右欄−第６頁左欄）
【特許文献２】特開平１１−７６４９６号公報（第３頁右欄−第６頁左欄）
【発明の開示】
【発明が解決しようとする課題】
【０００８】
ところで、遊技媒体貸出装置では、貨幣が投入されると、貨幣を収容するとともに、投入された金額に対応する遊技媒体であるコインを所定量貸し出す。そして、遊技装置間に配設した構成や遊技装置と対をなして配設されることから、収容した貨幣を一括して回収する構成を設けると、装置の大型化や設備コストの増大を招くことから、収容した貨幣は、例えば遊技施設の係員が回収することが広く実施されている。
そして、遊技媒体貸出装置では、両側面や一側面側に遊技装置が隣接されることから、収容された貨幣は正面に設けられた開閉蓋から回収する構成が一般的である。
しかしながら、開閉蓋に施錠する構成を設けたのみでは、合い鍵の使用などにより不当に開閉蓋が開けられて、貨幣が回収されるおそれがある。また、貨幣を回収する機構として、容易に回収できなくする構成を設けたのでは、装置の複雑化や大型化を招くとともに、正当の係員による回収作業が繁雑となるなどの不都合が生じる問題がある。
【０００９】
本発明は、このような点を考慮して、簡単な構成で作業性が損なわれることなく確実に貨幣を収容できる遊技媒体貸出装置および遊技システムを提供することを目的とする。
【課題を解決するための手段】
【００１０】
本発明に記載の遊技媒体貸出装置は、貨幣の投入により遊技媒体を貸し出す遊技媒体貸出装置であって、前面が開閉蓋体にて開閉可能に閉塞され前方に向けて開放し、前記貨幣が投入される投入孔に連通する貨幣収容室、および、遊技媒体収容室を有した筐体と、この筐体の前記遊技媒体収容室内に配設され、前記遊技媒体を貯留するとともに前記遊技媒体を所定量で前記筐体外へ排出する遊技媒体貸出部と、前記筐体の貨幣収容室内に配設され、前記投入孔から投入された前記貨幣を収容する貨幣収容部と、前記筐体内に配設され、前記開閉蓋体に一端部が係止された連結部を備え、所定の信号の認識により前記貨幣収容室を開放する方向への前記開閉蓋体の移動に伴って前記連結部を進出可能に収容する開放規制部と、を具備したことを特徴とする。
この発明では、投入孔から投入された貨幣を収容する貨幣収容部が配設され前方に向けて開放する筐体の貨幣収容室の前面を開閉可能に閉塞する開閉蓋体に、一端部が係止される連結部を備えた開放規制部を筐体内に配設する。この開放規制部は、所定の信号を認識すると、貨幣収容室を開放する方向への開閉蓋体の移動に伴って連結部を進出可能に収容する。
このことにより、仮に開閉蓋体に設けられた施錠装置が合い鍵などにより不当に解錠されても、遊技施設の管理室などからの所定の信号が出力されない限り、開放規制部の連結部が進出せず、貨幣収容部が開放する状態に開閉蓋体が操作されることを防止する。したがって、信号の認識の有無により連結部の進出を可能または不可能とする簡単な構成で、貨幣を収容する貨幣収容部を開放させずに確実に貨幣の不正な持ち出しを防止できる。
【００１１】
そして、本発明では、請求項１に記載の遊技媒体貸出装置であって、前記開放規制部は、可撓性を有する紐状の連結部と、この連結部を巻き取って収容する巻取部と、前記所定の信号の認識により前記巻取部による巻き取りに抗して前記開閉蓋体の移動に伴って前記連結部を引き出し可能に制御する制御部と、を備えた構成とすることが好ましい。
この発明では、開放規制部は、巻取部にて可撓性を有する紐状の連結部を巻き取って収容するもので、所定の信号の認識により、制御部が巻取部による巻き取りに抗して開閉蓋体の移動に伴って連結部を引き出させる。
このことにより、例えば、ゼンマイばねなどにより巻取部にて紐状の連結部を巻き取る状態で、開閉蓋体を開く操作による連結部の引き出しでは前記巻取部の引き出し方向への回転をギヤなどにて規制し、所定の信号の認識時にギヤなどの規制を解除させるなどの簡単な機械的な構成を利用することが容易にできる。したがって、大型化や構成の複雑化を抑えつつ、簡単な構成での確実な貨幣の持ち出し防止が容易に得られる。
【００１２】
また、本発明では、請求項１または請求項２に記載の遊技媒体貸出装置であって、前記開放規制部は、外面に臨んで移動可能に配設された操作子と、この操作子の移動により前記巻取部による巻き取りに抗して前記開閉蓋体の移動に伴って前記連結部を引き出し可能とする規制解除部と、を備えた構成とすることが好ましい。
この発明では、例えば、特定の管理者や作業者などにより開放規制部の外面に臨んで移動可能に配設した操作子が移動されと、規制解除部が巻取部による巻き取りに抗して開閉蓋体の移動に伴った連結部の引き出しを可能としている。
このことにより、例えば停電などにより所定の信号を開放規制部が認識できなくなった場合でも、遊技施設の管理者や作業者が操作子を操作して移動させ、規制解除部により連結部が手動により進出可能となり、貨幣収容室を開放する状態に開閉蓋体を移動させることができ、正規の管理者や作業者が貨幣を回収できる。
【００１３】
そして、本発明では、請求項３に記載の遊技媒体貸出装置であって、前記開放規制部は、前記操作子が前記遊技媒体収容室に臨んで前記貨幣収容室内に配設された構成とすることが好ましい。
この発明では、開放規制部の操作子が遊技媒体収容室に臨む状態に、開放規制部を貨幣収容室内に配設している。
このことにより、手動により開放規制部の操作子を操作する際に、遊技媒体を貯留するとともに遊技媒体を所定量で筐体外へ排出する遊技媒体貸出部を収容する遊技媒体収容室を開放する必要があり、貨幣収容部を開放するための作業に特定の技能が必要となるので、手動により貨幣収容部が容易に開放されることがなく、より確実に不正な貨幣の持ち出しを防止できる。
【００１４】
さらに、本発明では、請求項４に記載の遊技媒体貸出装置であって、前記筐体は、前記遊技媒体収容室および前記貨幣収容室を区画する壁状で、前記遊技媒体収容室および前記貨幣収容室を連通する連通孔を有した区画壁を備え、前記開放規制部は、前記操作子が前記連通孔に対向する位置に配設され、前記遊技媒体貸出部は、前記連通孔に対向して前記筐体に着脱可能に前記遊技媒体収容室内に配設された構成とすることが好ましい。
この発明では、筐体の遊技媒体収容室および貨幣収容室を区画する壁状の区画壁に連通孔を設け、操作子が連通孔に対向する位置に開放規制部を貨幣収容部に配設するとともに、遊技媒体貸出部を連通孔に対向する状態に遊技媒体収容室内に着脱可能に配設している。
このことにより、遊技施設の管理者や作業者が手動により貨幣収容室を開放させる際には、遊技媒体収容室を開放して内部に配設された遊技媒体貸出部を取り外し、遊技媒体収容室側から連通孔を介して開放規制部の操作子を操作すればよく、不正な貨幣の持ち出しを確実に防止できるとともに、停電などにより所定の信号を開放規制部で認識させて電気的に貨幣収容室を開放できない場合でも確実に貨幣の回収ができる。
【００１５】
また、本発明では、請求項２ないし請求項５のいずれかに記載の遊技媒体貸出装置であって、前記開閉蓋体は、回動により前記貨幣収容室の前面を開閉可能に前記筐体に軸支され、前記開放規制部は、前記開閉蓋体の回動する端部近傍に前記連結部の端部が係止され、かつ前記開閉蓋体が前記貨幣収容室の前面を閉塞する状態で前記連結部の端部が係止する位置から略水平方向に沿って前記連結部の巻き取り張力が作用する状態に配設された構成とすることが好ましい。
この発明では、筐体に貨幣収容室の前面を回動により開閉可能に軸支した開閉蓋体の回動する端部近傍に連結部の端部を係止させるとともに、開閉蓋体が貨幣収容室の前面を閉塞する状態で連結部の端部が係止する位置から略水平方向に沿って連結部の巻き取り張力が作用する状態に配設している。
このことにより、紐状の連結部を巻取部にて巻き取る構成の開放規制部の巻取部にて紐状の連結部を巻き取る際の巻き取り張力が効率よく開閉蓋体に作用するので、貨幣収容室を閉塞する開閉蓋体が巻き取り張力により良好に移動され、作業性が向上する。さらに、制御部による連結部が進出不可能な状態での制御時における貨幣収容室を開放させる開閉蓋体の移動が比較的に小さい力で効率よく規制でき、確実な貨幣の不正な持ち出しを防止でき、貨幣規制部の小型化やコストの低減なども容易に得られる。
【００１６】
本発明に記載の遊技システムは、請求項１ないし請求項６のいずれかに記載の遊技媒体貸出装置と、前記遊技媒体を用いて遊技されその遊技の内容が前面側に視認可能な遊技装置と、前記遊技媒体貸出装置および前記遊技装置が対をなして略並列に複数設置される島構造体と、を具備したことを特徴とする。
この発明では、簡単な構成で貨幣を収容する貨幣収容部を開放させずに確実に貨幣の不正な持ち出しを防止できる請求項１ないし請求項６のいずれかに記載の遊技媒体貸出装置と、遊技媒体を用いて遊技されその遊技内容が前面側に視認可能な遊技装置とを、対をして略並列に複数設置して島構造体を構成する。
このことにより、遊技媒体貸出装置および遊技装置が対をなして複数並設され各遊技媒体貸出装置の監視が比較的に困難な島構造体であっても、各遊技媒体貸出装置で貨幣収容室の開放が規制され、別途特別な構成を設けることなく貨幣の不正な持ち出しを確実に防止できる。
【００１７】
そして、本発明では、請求項７に記載の遊技システムであって、入力操作により所定の操作信号を出力する操作手段を備え、前記操作手段から出力された所定の操作信号を認識すると、前記各遊技媒体貸出装置の開放規制部のうち前記操作信号に基づく所定の開放規制部に対して前記開閉蓋体による前記貨幣収容室の開放を許諾する旨の前記所定の信号を送信する集合制御手段を具備した構成とすることが好ましい。
この発明では、入力操作により操作手段から出力された所定の操作信号を認識すると、集合制御手段により、遊技媒体貸出装置の開放規制部のうち、操作信号に基づく所定の開放規制部に対して開閉蓋体による貨幣収容室の開放を許諾する旨の所定の信号を送信する。
このことにより、例えば遊技施設の管理室などにて、開放規制部による貨幣収容室の開放の規制状態を集中管理することができ、より確実な貨幣の不正な持ち出しを確実に防止できる。
【発明を実施するための最良の形態】
【００１８】
以下に、本発明を実施するための最良の形態について詳述する。
なお、本実施の形態では、いわゆる「パチスロ」と称される回胴式遊技装置に用いられる遊技媒体であるコインを貸し出す遊技媒体貸出装置を例示して説明するが、本発明は、回胴式遊技装置に限らず、例えばスロットマシン、業務用テレビゲーム機、パチンコ式遊技装置など、コインのみならず各種遊技装置で用いられる遊技媒体を貸し出すいずれの構成にも適用できる。
【００１９】
〔遊技システムの構成〕
図１は、本実施の形態における一部を切り欠いた遊技システムを示す正面図である。図２は、遊技システムを構成する遊技媒体貸出装置を示す断面図である。図３は、遊技媒体貸出装置の開放規制部近傍を示す一部を切り欠いた斜視図である。
図１において、１００は遊技システムで、この遊技システム１００は、島構造体２００と、遊技装置３００と、遊技媒体貸出装置４００と、図示しない管理制御装置と、などを備えている。
この遊技システム１００は、「ホール」と称される店舗の床面上に複数の遊技装置３００および遊技媒体貸出装置４００が一体的に設置されて一体の独立構築物に構成されている。
【００２０】
島構造体２００は、例えば木材やアルミニウム合金などにより矩形の枠組み状に構成されている。この島構造体２００の長手方向に対する両側面には、遊技装置３００が嵌挿して閉塞される遊技機窓部２１０と、遊技媒体貸出装置４００が嵌挿して閉塞される図示しない貸出機窓部とが、対をなす状態で複数開口形成され、島構造体２００が枠組み状に構成されている。
なお、本実施の形態においては、島構造体２００の両側面に設けられる遊技機窓部２１０および貸出機窓部が同数である場合について説明するが、両側面で数が異なる構造や、ホールの壁際に設けられる一面側にのみ開口する構造としてもよい。
そして、この島構造体２００には、遊技装置３００および遊技媒体貸出装置４００に電力を供給する図示しない電源装置が設けられている。また、島構造体２００内には、図示しない島回収手段が設けられている。
島回収手段は、回収コンベアと、回収ホッパと、図示しない洗浄手段と、などを備えている。回収コンベアは、例えばベルトコンベアなど遊技媒体としての図示しないコインを搬送可能に長手状に構成され、島構造体２００内に長手方向に沿って配設されている。回収ホッパは、回収コンベアに所定間隔で複数、例えば島構造体２００の一側面に遊技装置３００の台数に対応した数で設けられている。洗浄手段は、島構造体２００の長手方向の一端に並設する状態に設置され、回収コンベアにて回収するコインを回収し、洗浄して貯留する。この洗浄手段に、回収するコインを計数する計数手段を設けてもよい。なお、島回収手段としては、回収コンベアにて島構造体２００に配設された遊技装置３００からコインを回収する構成に限らず、遊技装置３００毎に回収する構成、さらには島回収手段を設けなくてもよい。
【００２１】
遊技装置３００は、例えばいわゆる「パチスロ」と称される回胴式遊技装置である。この遊技装置３００は、図示しない装置筐体３１０と、この装置筐体３１０に収容される図示しない回胴ユニットおよび装置貯留部と、などを備えている。
装置筐体３１０には、窓部３１１と、投入孔３１２と、操作部３１３と、受け皿部３１４と、コイン排出口３１５と、などが設けられている。窓部３１１は、アクリル板やガラス板などの透光性部材にて正面側から装置筐体３１０内を視認可能に設けられている。投入孔３１２は、コインが投入可能に上方に向けて開口する状態に設けられている。操作部３１３は、窓部３１１の下縁近傍に配設され遊技の際に利用される複数の操作ボタン３１３Ａやジョイスティックなどの操作つまみ３１３Ｂなどを有している。そして、操作部３１３は、各操作ボタン３１３Ａや操作つまみ３１３Ｂの入力操作に対応して所定の信号を出力する。受け皿部３１４は、コイン排出口３１５を略覆う状態に上方に向けて開口する皿状に構成され、装置筐体３１０の前面下部に設けられている。受け皿部３１４は、投入したコインの返却要求により返却されるコイン、あるいは遊技の結果に基づいて払い出されるコインなどを貯留する。
回胴ユニットは、周面に複数の絵柄が描画された図示しないリールをそれぞれ独立して回転可能に複数有している。この回胴ユニットは、リールの外周面の一部が窓部３１１を介して視認可能に装置筐体３１０内に収容されている。そして、回胴ユニットは、投入孔３１２からコインが投入されたことを検出して遊技可能状態となり、操作部３１３にて適宜リールを回転および停止させる制御をし、停止した絵柄の組み合わせに対応して所定の信号を出力する。なお、遊技可能状態としては、例えばリールの絵柄をバックライトにより浮かび上がる状態に照光させたり、操作部３１３の操作ボタン３１３Ａを操作可能に点灯させたりするなどが例示できる。
装置貯留部は、投入孔３１２に投入されるコインを回収するとともに、遊技結果に基づいて貯留するコインを払い出すもので、回胴ユニットの下方に位置して装置筐体３１０内に収容されている。
そして、遊技装置３００は、島構造体２００の遊技機窓部２１０内に正面側が島構造体２００の正面である長手方向に対する側面に望む状態に嵌挿され、装置筐体３１０が図示しない取付手段にて島構造体２００に固定されて配設される。
【００２２】
遊技媒体貸出装置４００は、図１および図２に示すように、筐体としてのケース体４１０と、遊技媒体貸出部としてのコイン貸出機４２０と、貨幣収容部としての貨幣判別取得装置４３０と、図示しない払出シュート部と、を有している。なお、図１ないし図３は、説明の都合上、払出シュート部を省略して示す。
ケース体４１０は、例えばアルミニウム合金や鋼板などにより、前面を開放する矩形の略細長箱状に形成されている。そして、ケース体４１０には、平面が略水平方向に沿いケース体４１０内を上下方向で区分する区画壁４１１が設けられている。そして、ケース体４１０内には、区画壁４１１により、上部に遊技媒体収容室４１２が区画され、下部に貨幣収容室４１３が区画形成されている。
また、ケース体４１０の前面上部には、遊技媒体収容室４１２の上部側を回動により開閉可能に閉塞するコイン蓋体４１５が配設されている。このコイン蓋体４１５は、上端部が前方に向けて回動して補給口４１６を開口する状態に、下端部がケース体４１０に軸支されている。そして、コイン蓋体４１５の上端部近傍には、ケース体４１０に係脱する第１施錠部４１５Ａが設けられている。また、コイン蓋体４１５の遊技媒体収容室４１２側となる内面には、投入シュート部４１５Ｂが一体的に設けられている。この投入シュート部４１５Ｂは、コイン蓋体４１５が補給口４１６を開口する状態で上方に向けて拡開し投入されるコインを貯留可能な漏斗状で、コイン蓋体４１５が補給口４１６を閉塞する状態では遊技媒体収容室４１２内に向けて拡開して貯留するコインを遊技媒体収容室４１２へ投下可能に形成されている。
さらに、ケース体４１０の前面中間部には、遊技媒体収容室４１２の下部側を閉塞する払出シュート部が配設されている。この払出シュートは、コイン貸出機４２０から排出されるコインをケース体４１０外へ排出し、遊技者が取出可能に例えば遊技装置３００の受け皿部３１４や払出シュート部に設けられた受け皿などに排出する。
また、ケース体４１０の前面下部には、貨幣収容室４１３を回動により開閉可能に閉塞する開閉蓋体４１７が配設されている。この開閉蓋体４１７は、上端部が前方に向けて回動して回収口４１８を開口する状態に、下端部がケース体４１０に軸支されている。また、開閉蓋体４１７の上端部近傍には、ケース体４１０に係脱する第２施錠部４１７Ａが設けられている。
【００２３】
そして、ケース体４１０の遊技媒体収容室４１２内には、コイン貸出機４２０が配設されている。このコイン貸出機４２０は、ケース体４１０の区画壁４１１上に、払出シュート部が取り外されて前方に向けて遊技媒体収容室４１２が開放する状態で、前方に向けて進退可能で区画壁４１１から取り外し可能に配設された台座部４２０Ａ上に配設されている。そして、このコイン貸出機４２０は、コインホッパ４２１と、貸出部４２２と、図示しないシュート部と、を有している。
コインホッパ４２１は、上方に向けて拡開する漏斗状に形成されている。このコインホッパ４２１は、ケース体４１０の補給口４１６より下方で、コイン蓋体４１５が閉塞する状態で投入シュート部４１５Ｂに干渉しない下方に位置する状態で、投入シュート部４１５Ｂから投下されるコインをコインホッパ４２１の上方におけるケース体４１０の内面とにより貯留可能に配設されている。このコインホッパ４２１には、所定量以上のコインを貯留しているか否かを検出する図示しないセンサやスイッチなどの検出手段が設けられている。
貸出部４２２は、コインホッパ４２１の下部に設けられ、コインホッパ４２１で貯留するコインを１枚ずつ整列して計数し排出する。この貸出部４２２は、貨幣判別取得装置４３０からの信号を認識することにより、所定枚数のコインを払出シュート部へ排出するとともに、排出した枚数に関する信号を出力する。
【００２４】
また、ケース体４１０の貨幣収容室４１３内には、貨幣判別取得装置４３０が配設されている。この貨幣判別取得装置４３０は、例えば通常利用されるものと同構成のものが利用され、ケース体４１０内に収容されている。
貨幣判別取得装置４３０は、開閉蓋体４１７に前方に向けて開口する貨幣投入孔４１７Ｂから投入される図示しない貨幣を取得し、不良貨幣は貨幣投入孔４１７Ｂから返却し、正規の貨幣を貯留可能に構成されている。この貨幣判別取得装置４３０は、貨幣を取得したことを認識すると所定の信号をコイン貸出機４２０へ出力する。そして、貨幣判別取得装置４３０は、適宜交換や保守点検が可能で、貯留する貨幣を開閉蓋体４１７が開けられた正面から取り出し可能にケース体４１０内に配設されている。なお、貨幣判別取得装置４３０は、適宜おつりを返却可能な構成などの機能を有したものでもよい。
【００２５】
さらに、ケース体４１０の貨幣収容室４１３内には、図１ないし図３に示すように、開放規制部４４０が配設されている。この開放規制部４４０は、開閉蓋体４１７が開かれて貨幣収容室４１３が開放されることを規制する。
この開放規制部４４０は、ケース４４１を備えている。このケース４４１内には、回転自在に図示しない例えばボビン状の巻取部が配設されている。この巻取部には、可撓性を有する紐状で例えばワイヤなどである連結部４４２の一端側が固定されている。そして、巻取部は、図示しないゼンマイばねなどを備え、連結部４４２を常時巻き取る状態にケース４４１に配設されている。連結部４４２は、他端側となる先端側が、ケース４４１に設けられた図示しない挿通孔から延設され、挿通孔を挿通不可能な径大部４４２Ａを有している。さらに、連結部４４２の先端には、例えばリング状に形成され、開閉蓋体４１７の内面側に設けられた係合部４１７Ｃに係止されて連結される係止部４４２Ｂが設けられている。さらに、ケース４４１内には、連結部４４２が引き出される方向への巻取部の巻き戻し回転を規制する図示しない規制部が配設されている。この規制部は、例えば巻取部に設けられたギヤに、巻き戻し回転では係合して回転規制し連結部４４２を巻き取る方向への巻き取り回転ではギヤが乗り上げる状態で回転を規制しない規制解除部としてのラッチ機構などが例示できる。このラッチ機構には、ケース４４１に開口形成された操作開口４４１Ａを介して外部に臨む操作子としてのつまみ部４４３が設けられている。そして、ラッチ機構は、つまみ部が操作開口４４１Ａから操作されて移動されることで、巻取部のギヤからラッチ機構が外れてゼンマイばねによる巻取部の巻き戻し回転を可能としている。さらに、ケース４４１内には、ケース４４１の外面に臨んで配設された図示しない端子部を有し、この端子部に所定の信号が入力されることで、ラッチ機構を巻取部から外して巻取部の巻き戻し回転を可能とする制御部が配設されている。制御部としては、所定の信号が入力されることで、ラッチ機構を動作させる例えばソレノイドや電動モータなどが例示できる。
そして、開放規制部４４０は、図３に示すように、つまみ部４４３が、ケース体４１０の区画壁４１１に、遊技媒体収容室４１２および貨幣収容室４１３を連通する状態に穿設された連通孔４１１Ａに対向して貨幣収容室４１３内に配設されている。この配設状態では、遊技媒体収容室４１２から連通孔４１１Ａを介してつまみ部４４３が臨み、治具４５０や作業者の指にて移動操作可能となっている。
【００２６】
管理制御装置は、例えば店舗の管理室などに設けられ、遊技状態を管理する。すなわち、管理制御装置は、店舗に複数設けられた各島構造体２００に接続され、電力の供給状態や、遊技装置３００および遊技媒体貸出装置４００の動作状況などを認識し、管理室の管理者やホール内で作業する作業者などに、認識した情報を適宜報知・制御する。
管理制御装置は、図示しない、店舗内に配設された監視カメラにて撮像した店舗内の画像データを表示する表示装置、管理者が入力操作するキーボードや入力ボタンなどを有した操作手段としての入力装置、各種プログラムを実行するＣＰＵ（Central Processing Unit）を備えた集合制御手段としての演算装置などを備えている。演算装置は、各遊技装置３００や遊技媒体貸出装置４００に接続され、遊技装置３００や遊技媒体貸出装置４００から出力される動作状況などの出力信号を受信し、表示装置に適宜表示させて、動作状況などを管理者に報知する。また、演算装置は、例えば作業者からの無線連絡などにより所定の遊技装置３００や遊技媒体貸出装置４００の内部を開放する旨の連絡を受けた管理者が、対象となる遊技装置３００や遊技媒体貸出装置４００の内部を開放可能とする旨を入力装置にて入力されたことを認識すると、例えば対象となる遊技装置３００や遊技媒体貸出装置４００の内部を開放可能に各種施錠装置のロックを解除したり、内部の開放による警報の動作が実施されないようにしたりするなどの制御をする。具体的には、管理制御装置は、対象の遊技装置３００や遊技媒体貸出装置４００に対して開放を許諾する旨の信号を出力する。
そして、管理制御装置は、遊技媒体貸出装置４００に収容する貨幣の回収作業を作業者が実施可能とするために所定の遊技媒体貸出装置４００へ開閉蓋体４１７を開くことを許諾する旨が入力装置に入力されたことを認識すると、対象の遊技媒体貸出装置４００の開放規制部４４０の制御部へ所定の信号を出力する。すなわち、管理制御装置は、開放規制部４４０の巻取部に係合するラッチ機構を動作させて巻取部の巻き戻し回転を可能にさせる。この信号の出力により、作業者が開閉蓋体４１７の第２施錠部４１７Ａを解錠させた後に開閉蓋体４１７を開く方向に回動させると、巻取部に巻き取られている連結部が開閉蓋体４１７の回動に伴ってゼンマイばねの巻き取り力に抗して引き出され、貨幣収容室４１３が開放される。
【００２７】
〔遊技システムの動作〕
次に、上記設置した遊技システムの動作について説明する。
【００２８】
まず、店舗において、開店前に前準備をしておく。すなわち、管理者が、管理制御装置にて遊技媒体貸出装置４００のコイン蓋体４１５を開いて補給口４１６の開放を許諾する設定入力をする。
そして、作業者がコイン蓋体４１５の第１施錠部４１５Ａを解錠し、補給口４１６からコインを投入してコインホッパ４２１にほぼ一杯にコインを貯留させておくとともに、遊技装置３００の装置貯留部にもコインをほぼ一杯に貯留させておく。この後、管理制御装置にてコイン蓋体４１５および開閉蓋体４１７の開放を禁止する旨の設定入力し、遊技者による遊技可能状態とする。
【００２９】
店舗に入店した遊技者は、遊技媒体貸出装置４００の貨幣投入孔４１７Ｂから所定の貨幣、例えば紙幣を投入する。この紙幣の投入により、遊技媒体貸出装置４００の貨幣判別取得装置４３０が投入された紙幣を取得し、不良紙幣か否かを判断する。そして、貨幣判別取得装置４３０は、不良紙幣であると判断した場合、再び貨幣投入孔４１７Ｂから投入された不良紙幣を返却する。一方、貨幣判別取得装置４３０は、不良紙幣ではない、すなわち正規の紙幣であると判断した場合、取得した紙幣を内部に収容するとともに、紙幣を取得した旨の信号を出力する。なお、貨幣としては、紙幣に限らず硬貨などでもよい。
そして、貨幣判別取得装置４３０から紙幣を取得した旨の信号が出力されたことを遊技媒体貸出装置４００のコイン貸出機４２０が認識すると、所定枚数の遊技媒体であるコインを１枚ずつ払出シュート部を介して遊技装置３００の受け皿部３１４などへ払い出す。この払い出されたコインを、遊技者が遊技装置３００の投入孔３１２から投入する。この投入されたコインは、装置貯留部に投下される。このコインの投入の際、回胴ユニットは、コインが投入されたことを検出し、遊技可能状態となる。なお、投入されたコインが不良コインである場合、例えば遊技可能状態となることなく不良コインを受け皿部３１４へ返却する。
この遊技可能状態を認識した遊技者が、操作部３１３の各操作ボタン３１３Ａや操作つまみ３１３Ｂを適宜操作し、リールを回転させるとともに適宜停止させる。この操作により、回胴ユニットは、停止したリールの状態、すなわち窓部３１１に臨む絵柄の状態により所定の枚数のコインを払い出すための信号を装置貯留部へ出力する。この払出要求の信号を認識した装置貯留部は、所定枚数のコインを受け皿部３１４へ排出させて払い出す。このコイン投入および操作部３１３の操作が繰り返されて遊技が継続される。
【００３０】
ここで、遊技媒体貸出装置４００に貯留するコインの量が少なくなったことを、例えば遊技者による告知にて作業者が認識した場合、作業者が管理室の管理者へ無線連絡などにてコイン補充のために補給口４１６を開放する旨を伝え、管理者が管理制御装置に開放を許諾する旨を設定入力する。あるいは、例えばコインホッパ４２１の図示しないセンサやスイッチなどの検出手段が検出して出力される信号に基づいて、貯留するコインの量が少なくなったことを管理制御装置が認識すると、その旨を管理者に報知し、管理者による補給口４１６の開放を許諾する旨を設定入力の実施を促す。
そして、管理者から補給口４１６の開放の許諾を無線連絡などにて作業者に報知する。この報知により、作業者は、コイン蓋体４１５の第１施錠部４１５Ａを解錠し、コイン蓋体４１５を開いて開放する補給口４１６からコインを投入し、コインホッパ４２１にコインを補充する。この後、上述したように、再び無線連絡などにより、管理者にコイン蓋体４１５の開放を禁止する旨の設定入力を実施させる。
また、例えば店舗の閉店後に、管理者が遊技媒体貸出装置４００に収容した貨幣を回収する場合、同様に、管理制御装置にて開閉蓋体４１７の開放を許諾する設定入力を実施する。この設定入力により、管理制御装置は、対象の遊技媒体貸出装置４００の開放規制部４４０の制御部へ所定の信号を出力する。このことにより、制御部は、巻取部に係合するラッチ機構を動作させて巻取部の巻き戻し回転を可能に制御する。この状態で、管理者が開閉蓋体４１７の第２施錠部４１７Ａを解錠させた後に開閉蓋体４１７を開く方向に回動させると、巻取部に巻き取られている連結部が開閉蓋体４１７の回動に伴ってゼンマイばねの巻き取り力に抗して引き出され、貨幣収容室４１３が開放される。そして、露出する貨幣判別取得装置４３０に収容された貨幣を回収する。
【００３１】
ところで、許諾していない作業者や遊技者が不当に開閉蓋体４１７を開放させようとした場合、仮に開閉蓋体４１７の第２施錠部４１７Ａが解錠されても、開閉蓋体４１７は、開放規制部４４０の巻取部にて巻き取られている連結部４４２に連結されており、巻取部はラッチ機構にて連結部４４２を巻き戻し方向への回転が規制されている。このため、開閉蓋体４１７は開かれず、貨幣収容室４１３は開放されない。したがって、貨幣判別取得装置４３０も露出せず、貨幣判別取得装置４３０に収容された貨幣は不当に持ち出されることを防止できる。
一方、例えば店舗の停電などにより、管理制御装置から所定の信号を開放規制部へ出力できない場合には、管理者は、払出シュート部を取り外してコイン貸出機４２０を露出させる。そして、コイン貸出機４２０を台座部４２０Ａとともにケース体４１０から引き出す。このことにより、コイン貸出機４２０にて覆われていた区画壁４１１の上方が開放する状態となる。この状態で、区画壁４１１の連通孔４１１Ａを介して、治具４５０や作業者の指にて開放規制部４４０のつまみ部４４３を操作し、巻取部に係合するラッチ機構を外す。そして、第２施錠部４１７Ａを解錠して開閉蓋体４１７を開く方向に回動させることで、連結部４２２が巻き戻される状態に引き出され、貨幣収容室４１３が開放する。このことにより、貨幣判別取得装置４３０に収容する貨幣が回収できる。
【００３２】
〔遊技システムの作用効果〕
上述したように、上記実施の形態では、貨幣投入孔４１７Ｂから投入された貨幣を収容する貨幣判別取得装置４３０が配設され前方に向けて開放するケース体４１０の貨幣収容室４１３の前面を開閉可能に閉塞する開閉蓋体４１７に、一端部が係止される連結部４４２を備えた開放規制部４４０をケース体４１０内に配設する。この開放規制部４４０は、所定の信号を認識すると、貨幣収容室４１３を開放する方向への開閉蓋体４１７の移動、すなわち回動に伴って連結部４４２を進出可能に収容する。
このため、仮に開閉蓋体４１７に設けられた第２施錠部４１７Ａが合い鍵などにより不当に解錠されても、例えば遊技施設の管理室に設けられた管理制御装置などからの所定の信号が出力されない限り、開放規制部４４０の連結部４４２が進出せず、貨幣収容室４１３が開放する状態に開閉蓋体４１７が操作されることを防止できる。したがって、信号の認識の有無により連結部４４２の進出を可能または不可能とする簡単な構成で、貨幣を収容する貨幣収容室４１３を開放させずに確実に貨幣の不正な持ち出しを防止できる。
【００３３】
そして、開放規制部４４０は、巻取部にて可撓性を有する紐状の連結部４４２を巻き取って収容するもので、所定の信号の認識により、制御部が巻取部による巻き取りに抗して開閉蓋体４１７の移動に伴って連結部４４２を引き出させる。
このため、例えば、ゼンマイばねなどにより巻取部にて紐状の連結部４４２を巻き取る状態で、開閉蓋体４１７を開く操作による連結部４４２の引き出しでは巻取部の引き出し方向への回転をギヤなどにて規制し、所定の信号の認識時にギヤなどの規制を解除させるなどの簡単な機械的な構成を利用することが容易にできる。したがって、大型化や構成の複雑化を抑えつつ、簡単な構成での確実な貨幣の持ち出し防止が容易に得られる。
【００３４】
また、例えば特定の管理者や作業者などにより、開放規制部４４０の外面に臨んで移動可能に配設したつまみ部４４３が移動されと、ラッチ機構などが巻取部による巻き取りに抗して開閉蓋体４１７の移動に伴った連結部４４２の引き出しを可能としている。
このため、例えば停電などにより所定の信号を開放規制部４４０が認識できなくなった場合でも、遊技施設の管理者や作業者がつまみ部４４３を操作して移動させ、ラッチ機構により連結部４４２が手動により進出可能となり、貨幣収容室４１３を開放する状態に開閉蓋体４１７を移動させることができ、正規の管理者や作業者が貨幣を簡単な構成で確実に回収できる。
【００３５】
さらに、開放規制部４４０のつまみ部４４３が遊技媒体収容室４１２に臨む状態に、開放規制部４４０を貨幣収容室４１３内に配設している。
このため、手動により開放規制部４４０のつまみ部４４３を操作する際に、コインを貯留するとともにコインを所定量でケース体４１０外へ排出するコイン貸出機４２０を収容する遊技媒体収容室４１２を開放する必要があり、貨幣収容室４１３を開放するための作業に特定の技能や作業が必要となる。したがって、貨幣収容室４１３を開放するための手動操作が内部構成を知らない不正者などにて容易に実施されることを防止でき、より確実に不正な貨幣の持ち出しを防止できる。
【００３６】
また、ケース体４１０の遊技媒体収容室４１２および貨幣収容室４１３を区画する壁状の区画壁４１１に連通孔４１１Ａを設け、つまみ部が連通孔４１１Ａに対向する位置に開放規制部４４０を貨幣収容室４１３内に配設するとともに、コイン貸出機４２０を連通孔４１１Ａに対向する状態に遊技媒体収容室４１２内に着脱可能、具体的には連通孔４１１Ａの上方を覆う位置と引き出されて待避する位置となる状態に配設している。
このため、遊技施設の管理者や作業者が手動により貨幣収容室４１３を開放させる際には、遊技媒体収容室４１２を開放して内部に配設されたコイン貸出機４２０を待避させて連通孔４１１Ａが開放する状態とし、遊技媒体収容室４１２側から連通孔４１１Ａを介して開放規制部４４０のつまみ部４４３を操作すればよく、不正な貨幣の持ち出しを確実に防止できるとともに、停電などにより所定の信号を開放規制部４４０で認識させて電気的に貨幣収容室４１３を開放できない場合でも確実に貨幣の回収ができる。
さらに、コイン貸出機４２０を台座部４２０Ａに配設し、台座部４２０を区画壁４１１Ａに対してスライド移動させることで連通孔４１１Ａを開放する構成としている。
このため、コイン貸出機４２０のねじ止めなどを取り外すなどの作業が必要なく、容易に連通孔４１１Ａの開閉状態が得られ、作業性を向上できる。
【００３７】
そして、貨幣収容室４１３の前面を回動により開閉可能にケース体４１０に軸支した開閉蓋体４１７の回動する端部近傍に連結部４４２の先端部を連結するとともに、開閉蓋体４１７が貨幣収容室４１３の前面を閉塞する状態で連結部４４２の端部が連結する位置から略水平方向に沿って連結部４４２の巻き取り張力が作用する状態、すなわち巻き取り方向となる状態に配設している。より詳細には、連結部４４２が略水平方向でケース４４１から延出してこの延出方向上に開閉蓋体４１７が閉まった状態で連結する位置が略位置する状態に開放規制部４４０を配設している。
このため、紐状の連結部４４２を巻取部にて巻き取る構成における連結部４４２を巻き取る際の巻き取り張力が効率よく開閉蓋体４１７に作用するので、貨幣収容室４１３を閉塞する開閉蓋体４１７が例えばゼンマイばねなどにて巻き取り張力により良好に移動され、ゼンマイばねなどの簡単な構成でも巻き取り張力により半自動的に閉まる状態も得られ、作業性の向上が得られる。さらに、制御部による連結部４４２が進出不可能な状態での制御時における貨幣収容室４１３を開放させる開閉蓋体４１７の移動が比較的に小さい力で効率よく規制、例えばギヤとラック機構との係合などにて実施でき、確実な貨幣の不正な持ち出しを防止でき、開放規制部４４０の小型化やコストの低減なども容易に得られる。
例えば、開閉蓋体４１７の回動軸に一体的に連結部として歯車などを設け、この歯車の回動規制により開閉蓋体４１７が開く方向へ回動されることをラック機構などにより規制し、開放許諾の信号の認識により、ラック機構を外して回動可能とするなどの開放規制が考えられるが、開閉蓋体４１７の回動端部側で紐状の連結部４２２にて連結して回動規制しているので、開閉蓋体４１７をこじ開けるような力が作用しても、歯車が損傷して貨幣収容室４１３が開放してしまうなどの不都合もなく、簡単な構成で確実に閉塞状態の維持が得られる。
【００３８】
また、入力操作により入力装置から出力された所定の操作信号を認識すると、管理制御装置により、遊技媒体貸出装置４００の開放規制部４４０のうち、操作信号に基づく所定の開放規制部４４０に対して開閉蓋体４１７による貨幣収容室４１３の開放を許諾する旨の所定の信号を送信するシステム構成としている。
このため、例えば遊技施設の管理室などにて、開放規制部４４０による貨幣収容室４１３の開放の規制状態を集中管理することができ、より確実な貨幣の不正な持ち出しを確実に防止できる。
【００３９】
〔実施の形態の変形例〕
なお、以上に説明した態様は、本発明の一態様を示したものであって、本発明は、前記した実施形態に限定されるものではなく、本発明の目的および効果を達成できる範囲内での変形や改良が、本発明の内容に含まれるものであることはいうまでもない。また、本発明を実施する際における具体的な構造および形状などは、本発明の目的および効果を達成できる範囲内において、他の構造や形状などとしても問題はない。
【００４０】
すなわち、本発明の遊技媒体貸出装置としては、いわゆる「パチスロ」である遊技装置３００で利用されるコインを貸し出す構成を例示したが、例えばいわゆる「パチンコ」と称されるパチンコ式遊技装置で利用されるパチンコ玉を貸し出す構成としてもよい。
また、遊技装置として、リールの回胴により絵柄を合わせるものに限られるものではなく、例えばデジタル表示により絵柄を会わせるものなど、各種構成を対象とすることができる。
【００４１】
そして、開放規制部４４０の構成としては、紐状の連結部４４２を用いる構成に限られない。例えば、本発明の連結部として、細長板状に形成し、一端側を開閉蓋体４１７に連結し、他端側をソレノイドや電動モータの駆動により、ラックアンドピニオンの構成などを介して引き込む状態とする。そして、開放許諾の信号の認識により、連結部を進出可能とするなどが例示できる。
また、手動により開放可能とする構成を設けたが、手動操作により開放可能とする構成は、上述した構成に限らず、いずれの構成が適用できる。さらには、手動操作により開放可能とする構成を設けなくてもよい。
そして、手動操作できる構成として、区画壁４１１の連通孔４１１Ａを介して操作する構成に限らず、例えばケース体４１０の側面や背面につまみ部４４３が臨む状態とし、遊技媒体貸出装置４００全体を島構造体２００から引き出して操作可能とするなどしてもよい。
さらに、開放規制部４４０として、貨幣判別取得装置４３０の上方に配設し、連結部４４２が略水平方向でケース４４１から延出してこの延出方向上に開閉蓋体４１７が閉まった状態で連結する位置が略位置する状態で配設しているが、この構成に限られない。例えば、開放規制部４４０として、貨幣判別取得装置４３０の下方や背面側、さらには遊技媒体収容室４１２内などに配設し、開閉蓋体４１７の回動端部に連結させるなどしてもよい。なお、ガイドローラなどにより開閉蓋体４１７との連結位置から略水平方向に巻き取る状態とすることが上述したように好ましい。
また、開閉蓋体４１７としては、回動により開く構成に限らず、例えばスライド移動により開く構成としたり、ケース体４１０に着脱することで開閉する構成としたりするなどができる。いずれの場合でも、貨幣収容室４１３を開く状態に移動されることで連結部４４２が引き出されることを規制し、許諾する旨の信号の入力により連結部４４２が進出して開放する構成とすればよい。
そして、管理制御装置からの設定信号に基づいて開放可能としたが、例えば管理者が携帯する電波や赤外線などの無線媒体を発信する発信器からの信号により開放可能とするなどしてもよい。
また、島構造体２００の長手方向の端部に、所定の信号を送信できる操作手段や制御手段を設け、この操作手段による入力操作により、島構造体２００の長手方向の端部からその島構造体に設置された全遊技媒体貸出装置４００、あるいは指定した遊技媒体貸出装置４００へ所定の信号を送信するなどの構成としてもよい。
【００４２】
さらに、コイン貸出機４２０としては、上述した構成に限らず、例えば島構造体２００に配設した搬送装置などから自動的に配給する構成とするなどしてもよい。
また、上方に遊技媒体収容室４１２が位置し下方に貨幣収容室４１３が位置する構成を例示したが、例えば上下関係が逆の構成、さらには並列な構成などしてもよい。
そして、コイン貸出機４２０を例えば区画壁４１１に直接固定し、コイン貸出機４２０を取り外して連通孔４１１Ａを開放する構成としてもよい。
【００４３】
その他、本発明の実施の際の具体的な構造および手順などは、本発明の目的を達成できる範囲で他の構成に変更するなどしてもよい。
【産業上の利用可能性】
【００４４】
本発明は、例えばいわゆる「パチスロ」や「パチンコ」、「スロットマシン」など、コインやパチンコ玉などの遊技装置で遊技に利用される遊技媒体を、投入される貨幣を収容するとともに投入された貨幣に対応して貸し出す遊技媒体貸出装置、この遊技装置貸出装置と遊技装置とが対をなして配設される遊技システムに適用できる。
【図面の簡単な説明】
【００４５】
【図１】本発明における遊技システムを示す一部を切り欠いた正面図である。
【図２】前記実施の形態における遊技システムを構成する遊技媒体貸出装置を示す断面図である。
【図３】前記実施の形態における開放規制部近傍を示す一部を切り欠いた斜視図である。
【符号の説明】
【００４６】
１００……遊技システム
２００……島構造体
３００……遊技装置
４００……遊技媒体貸出装置
４１０……筐体としてのケース体
４１１……区画壁
４１１Ａ…連通孔
４１２……遊技媒体収容室
４１３……貨幣収容室
４１７……開閉蓋体
４１７Ｂ…投入孔である貨幣投入孔
４２０……遊技媒体貸出部としてのコイン貸出機
４３０……貨幣収容部としての貨幣判別取得装置
４４０……開放規制部
４４２……連結部
４４３……操作子としてのつまみ部
【図１】
2008000245.tif 000003
【図２】
2008000245.tif 000004
【図３】
2008000245.tif 000005